(57)【要約】【課題】  電磁干渉を低減したコネクタの提供。【解決手段】  一対の接地状態にある上、下シールドケースを具え、両者は位置決め機構により相互に導通、係合される。該位置決め機構は挟持片と導通片を具え、挟持片は上シールドケースが切り割られ並びに折り曲げられて延伸されて形成された折り曲げ式弾性片であり、下シールドケースの側辺が挟持辺と上シールドケース側辺の間に進入し、挟持片が下シールドケース側辺を押圧並びに挟持し、導通片は上シールドケース或いは下シールドケース側辺が切り割られて形成されたサスペンションアーム式弾性片であり、それに導通部が設けられ、導通部は下シールドケース側辺或いは上シールドケース側辺に当接し、これにより上、下シールドケース間の信頼性があり、確実な導通、係合が達成され、コネクタ内外の電磁干渉を有効、確実に低減する。【選択図】        図４
0003108271.tif 000002
【実用新案登録請求の範囲】
【請求項１】
電磁干渉を低減したコネクタにおいて、
複数の端子を内部に収容するプラスチックケースと、
該プラスチックケースにより収容、保持される上シールドケースと、
該プラスチックケースにより収容、保持され並びに位置決め機構により上シールドケースと導通、係合する下シールドケースと、
上シールドケース、下シールドケースの一方と接触、導通して接地状態となす接地機構と、
を具え、該位置決め機構が導通片と挟持片を具え、挟持片が上シールドケースを切り割り並びに折り曲げて延伸してなる折り曲げ式弾性片であり、下シールドケースの側辺が挟持片と上シールドケース側辺の間に進入し、挟持片が下シールドケース側辺に当接しそれを挟持し、導通片は上シールドケース或いは下シールドケースを切り割って形成されたサスペンションアーム式弾性片であり、それに導通部が設けられ、導通部が下シールドケース側辺或いは上シールドケース側辺に当接することを特徴とする、電磁干渉を低減したコネクタ。
【請求項２】
請求項１記載の電磁干渉を低減したコネクタにおいて、プラスチックケースは内ケースと一対の相互に係合する上カバーと下カバーで組成され、上シールドケースが上カバーと内ケースの間に収容、保持され、下シールドケースは下カバーと内ケースの間に収容、保持され、内ケース外部が上シールドケース、下シールドケースを被覆し、内部に複数の端子を収容し、内ケース前端面より固定柱が延伸され、固定柱内にロック片が収容されて対応するコネクタとのロック或いは分離を形成することを特徴とする、電磁干渉を低減したコネクタ。
【請求項３】
請求項１記載の電磁干渉を低減したコネクタにおいて、位置決め機構が係合機構を具え、係合機構は上シールドケースに開設された係合溝とそれに対応するよう下シールドケースに配設された係合片で組成され、係合片が係合溝内に進入し、それと係合し組み合わされることを特徴とする、電磁干渉を低減したコネクタ。
【請求項４】
請求項１記載の電磁干渉を低減したコネクタにおいて、位置決め機構の挟持片が上シールドケースの上面に設けられ並びに下向きに傾斜するよう折り曲げられたことを特徴とする、電磁干渉を低減したコネクタ。
【請求項５】
請求項１記載の電磁干渉を低減したコネクタにおいて、位置決め機構の挟持片が上シールドケースの側辺に設けられ並びに外向きに折り曲げられたことを特徴とする、電磁干渉を低減したコネクタ。
【請求項６】
請求項１記載の電磁干渉を低減したコネクタにおいて、位置決め機構は導通片の両側に配置された一対の挟持片を具えたことを特徴とする、電磁干渉を低減したコネクタ。
【請求項７】
請求項１記載の電磁干渉を低減したコネクタにおいて、位置決め機構の導通片が上シールドケースの側辺或いは下シールドケースの側辺に設けられたことを特徴とする、電磁干渉を低減したコネクタ。
【請求項８】
請求項１記載の電磁干渉を低減したコネクタにおいて、接地機構が上シールドケース、下シールドケース内に収容された基板を具え、該基板が複数の端子及び外部ケーブルと電気的に接続され、基板上に接地回路が印刷され、下シールドケースの後壁より内向きに当接弾性片が延伸されて基板の接地回路に当接することを特徴とする、電磁干渉を低減したコネクタ。
【考案の詳細な説明】
【技術分野】
【０００１】
本考案は電子コネクタに係り、特にコネクタ内外の電磁干渉を低減した電子コネクタに関する。
【背景技術】
【０００２】
現在、電子コネクタの領域において、コネクタ内外の電磁干渉を低減するため、最も常用されている方法は、金属ケースを採用してコネクタに対して被覆し並びに金属ケースを接地させる方法である。高周波信号の伝送に用いられる電気コネクタ、例えば携帯電話信号コネクタ等は、信号伝送品質を保証するため、この方法は必要となっている。
【０００３】
特許文献１には上述の方法を採用してコネクタ内外の電磁干渉を低減した携帯電話プラグコネクタが記載されている。このプラグコネクタはプラスチック内ケースを具え、その内部に複数の端子を収容し、内ケース外が一対の上、下シールドケースで被覆され、上、下シールドケースは一対の相互に係合するプラスチックの上、下蓋で被覆されてプラグコネクタ内に保持される。相互に組み合わされる上、下シールドケース内には基板が収容され、複数の端子及び外部ケーブルと電気的に接続され、これにより基板と外部ケーブル間の信号伝送が達成され、基板上に接地回路が印刷され、下シールドケースの後壁に内向きに延伸された当接弾性片が設けられ、基板の接地回路に当接し、これにより上、下シールドケースが接地状態とされ、これによりコネクタ内外の電磁干渉が低減される。
【０００４】
また、周知のプラグコネクタのプラスチック上カバーに押圧部が可動式に接続され、プラスチック下カバー前端面両側より一対の固定柱が突出し、各固定柱内にロック片が収容され、押圧部が下向きに可動式にロック片に当接し、これにより該プラグコネクタと対応するコネクタの間のロック或いは分離が達成される。
【０００５】
ただし、この周知のプラグコネクタと対応するコネクタが反復して抜き差しされる時、上、下シールドケースは相互に係合するプラスチックの上カバーと下カバーの内部形状により組み合わされ、保持されているだけであり、相互間に信頼できる導通、係合機構がないため、極めて滑動しやすく隙間が出現して回路が切断されることもあり、シールドの連続性及び接地の信頼性が達成されにくく、コネクタ内外の電磁干渉を有効に確実に低減することができない。このほか、上述の固定柱は強度の低いプラスチック下カバーに一体に成形され、強度不足により切断されやすい。
【０００６】
【特許文献１】米国特許第６，４１３，１１２号明細書
【考案の開示】
【考案が解決しようとする課題】
【０００７】
本考案の主要な目的は、上述の周知の技術の欠点に対して、電磁干渉を低減したコネクタを提供することにあり、それは上、下シールドケースが信頼できる確実な導通、係合を形成し、シールドの連続性と接地の信頼性を達成し、コネクタ内外の電磁干渉を有効に、確実に低減できるコネクタであるものとする。
【０００８】
本考案の別の目的は、一種の電磁干渉を低減したコネクタを提供することにあり、それはコネクタに設けられ対応するコネクタと抜き差し係合される固定柱の強度を増し、反復抜き差し時の強度不足による固定柱の切断を防止したコネクタであるものとする。
【０００９】
上述の第１の目的を達成するため、本考案の電磁干渉を低減したコネクタは、プラスチックケースを具え、それは複数の端子を内部に収容し、プラスチックケースが上、下シールドケースを収容、保持する。該上、下シールドケースの一方は接地機構と接触、導通し、接地状態にあり、且つ上、下シールドケースは位置決め機構により相互に導通、係合する。該位置決め機構は挟持片と導通片を具え、挟持片は上シールドケースが切り割られ並びに折り曲げられて延伸されてなる折り曲げ式弾性片であり、下シールドケースの側辺は挟持片と上シールドケース側辺の間に進入し、挟持片が下シールドケース側辺に当接し並びにそれを挟持し、導通片は上シールドケース或いは下シールドケースが切り割られ形成されたサスペンションアーム式弾性片であり、それに導通部が設けられ、導通部が下シールドケース側辺或いは上シールドケース側辺に当接する。
【００１０】
本考案のもう一つの目的を達成するため、上述の電磁干渉を低減したコネクタは、プラスチックケースが内ケース及び一対の相互に係合する上カバーと下カバーで組成され、該上シールドケースが上カバーと内ケースの間に収容、保持され、上述の下シールドケースが下カバーと内ケースの間に収容、保持され、内ケース外部が上、下シールドケースを被覆し、内部に複数の端子を収容し、内ケース前端面より固定柱が突出し、固定柱内にロック片が収容され、対応するコネクタとロック或いは分離される。
【００１１】
本考案を改善するため、上述の位置決め機構はさらに係合機構を具え、該係合機構は上シールドケースに開設された係合溝と下シールドケースにこれに対応して配置された係合片で組成され、係合片が係合溝内に進入し、それと係合し組み合わされる。
【００１２】
本考案を改善するため、上述の位置決め機構の挟持片は上シールドケースの上面に設けられ、並びに下向きに傾斜するよう折り曲げられる。
【００１３】
本考案を改善するため、上述の位置決め機構は上シールドケースの側辺に設置可能で並びに外向きに折り曲げられる。
【００１４】
本考案を改善するため、位置決め機構が一対の挟持片を具え、それぞれ導通片の両側に配置される。
【００１５】
本考案を改善するため、上述の位置決め機構の導通片は上シールドケースの側辺或いは下シールドケースの側辺に設けられる。
【００１６】
本考案を改善するため、接地機構は上、下シールドケース内に収容された基板を具え、複数の端子及び外部ケーブルと電気的に接続され、基板に接地回路が印刷され、下シールドケースの後壁より内向きに当接弾性片が延伸され、基板の接地回路に当接する。
【００１７】
以上により、本考案は挟持片の挟持及び導通部の当接により、上、下シールドケースが確実に導通、係合し、シールドの連続性及び信頼性を達成し、これによりコネクタ内外の電磁干渉を有効に、確実に低減でき、且つ折り曲げ式挟持片の剛性及びサスペンションアーム式導通片の弾性により上、下シールドケースが強固に確実に一体に組み合わされる。このほか、上、下シールドケースの固定柱と一体成形された内ケースに対する被覆により、明らかに固定柱の強度を増すことができ、その反復抜き差し時の強度不足による切断を防止でき、係合機構の設計により上、下シールドケース間の更に信頼でき、確実な導通、係合が達成される。
【課題を解決するための手段】
【００１８】
請求項１の考案は、電磁干渉を低減したコネクタにおいて、
複数の端子を内部に収容するプラスチックケースと、
該プラスチックケースにより収容、保持される上シールドケースと、
該プラスチックケースにより収容、保持され並びに位置決め機構により上シールドケースと導通、係合する下シールドケースと、
上シールドケース、下シールドケースの一方と接触、導通して接地状態となす接地機構と、
を具え、該位置決め機構が導通片と挟持片を具え、挟持片が上シールドケースを切り割り並びに折り曲げて延伸してなる折り曲げ式弾性片であり、下シールドケースの側辺が挟持片と上シールドケース側辺の間に進入し、挟持片が下シールドケース側辺に当接しそれを挟持し、導通片は上シールドケース或いは下シールドケースを切り割って形成されたサスペンションアーム式弾性片であり、それに導通部が設けられ、導通部が下シールドケース側辺或いは上シールドケース側辺に当接することを特徴とする、電磁干渉を低減したコネクタとしている。
請求項２の考案は、請求項１記載の電磁干渉を低減したコネクタにおいて、プラスチックケースは内ケースと一対の相互に係合する上カバーと下カバーで組成され、上シールドケースが上カバーと内ケースの間に収容、保持され、下シールドケースは下カバーと内ケースの間に収容、保持され、内ケース外部が上シールドケース、下シールドケースを被覆し、内部に複数の端子を収容し、内ケース前端面より固定柱が延伸され、固定柱内にロック片が収容されて対応するコネクタとのロック或いは分離を形成することを特徴とする、電磁干渉を低減したコネクタとしている。
請求項３の考案は、請求項１記載の電磁干渉を低減したコネクタにおいて、位置決め機構が係合機構を具え、係合機構は上シールドケースに開設された係合溝とそれに対応するよう下シールドケースに配設された係合片で組成され、係合片が係合溝内に進入し、それと係合し組み合わされることを特徴とする、電磁干渉を低減したコネクタとしている。
請求項４の考案は、請求項１記載の電磁干渉を低減したコネクタにおいて、位置決め機構の挟持片が上シールドケースの上面に設けられ並びに下向きに傾斜するよう折り曲げられたことを特徴とする、電磁干渉を低減したコネクタとしている。
請求項５の考案は、請求項１記載の電磁干渉を低減したコネクタにおいて、位置決め機構の挟持片が上シールドケースの側辺に設けられ並びに外向きに折り曲げられたことを特徴とする、電磁干渉を低減したコネクタとしている。
請求項６の考案は、請求項１記載の電磁干渉を低減したコネクタにおいて、位置決め機構は導通片の両側に配置された一対の挟持片を具えたことを特徴とする、電磁干渉を低減したコネクタとしている。
請求項７の考案は、請求項１記載の電磁干渉を低減したコネクタにおいて、位置決め機構の導通片が上シールドケースの側辺或いは下シールドケースの側辺に設けられたことを特徴とする、電磁干渉を低減したコネクタとしている。
請求項８の考案は、請求項１記載の電磁干渉を低減したコネクタにおいて、接地機構が上シールドケース、下シールドケース内に収容された基板を具え、該基板が複数の端子及び外部ケーブルと電気的に接続され、基板上に接地回路が印刷され、下シールドケースの後壁より内向きに当接弾性片が延伸されて基板の接地回路に当接することを特徴とする、電磁干渉を低減したコネクタとしている。
【考案の効果】
【００１９】
本考案の電磁干渉を低減したコネクタは、一対の接地状態にある上、下シールドケースを具え、両者は位置決め機構により相互に導通、係合される。該位置決め機構は挟持片と導通片を具え、挟持片は上シールドケースが切り割られ並びに折り曲げられて延伸されて形成された折り曲げ式弾性片であり、下シールドケースの側辺が挟持辺と上シールドケース側辺の間に進入し、挟持片が下シールドケース側辺を押圧並びに挟持し、導通片は上シールドケース或いは下シールドケース側辺が切り割られて形成されたサスペンションアーム式弾性片であり、それに導通部が設けられ、導通部は下シールドケース側辺或いは上シールドケース側辺に当接し、これにより上、下シールドケース間の信頼性があり、確実な導通、係合が達成され、コネクタ内外の電磁干渉を有効、確実に低減する。
【考案を実施するための最良の形態】
【００２０】
図１及び図２に示されるように、本考案の電磁干渉を低減したコネクタ１００はプラスチックケース２０を具え、該プラスチックケース２０は内ケース２１及び一対の相互に係合する上カバー２３と下カバー２４で組成され、内ケース２１と上カバー２３の間に上シールドケース４２が収容され、内ケース２１と下カバー２４の間に下シールドケース４４が収容され、内ケース２１外部が上シールドケース４２、下シールドケース４４を被覆し、内部に複数の端子３０を収容し、上シールドケース４２、下シールドケース４４が位置決め機構により相互に導通、係合し、下シールドケース４４は接地機構と接触、導通し、接地状態とされる。
【００２１】
図５も参照されたい。上述の接地機構は上シールドケース４２、下シールドケース４４内に収容された基板６０を具え、複数の端子３０及び外部ケーブル（図示せず）に電気的に接続され、これにより基板６０と外部ケーブル間の信号伝送が達成され、基板６０に接地回路が印刷され、下シールドケース４４の後壁に内向きに延伸された当接弾性片４４１が設けられて基板６０の接地回路に接触し、相互に導通し組み合わされた上シールドケース４２、下シールドケース４４を接地状態とする。
【００２２】
図３から図６に示されるように、上述の位置決め機構は、一対の導通片５２と各導通片５２の両側に配置された一対の挟持片５４を具えている。導通片５２は上シールドケース４２の側辺が切り割られて形成されたサスペンションアーム式弾性片であり、その一端は固定端とされ、もう一端は弾性が良好な自由端とされ、導通片５２に円形凸点状の導通部５６が設けられて挟持片５４に向けて突出する。挟持片５４は上シールドケース４２の上面が切り割られ並びに下向きに傾斜するよう延伸された一対の折り曲げ式弾性片であり、良好な剛性を具えている。
【００２３】
組立時には、下シールドケース４４の側辺が上シールドケース４２の側辺と挟持片５４の間に挿入され、導通部５６が導通片５２の弾性により内向きに下シールドケース４４の側辺に圧接され、挟持片５４はそれ自身の剛性により外向きに下シールドケース４４の側辺に圧接してそれを挟持し、これにより上シールドケース４２、下シールドケース４４が確実に強固に組み合わされて一体とされ、両者間に確実な導通、係合が形成される。
【００２４】
図６に示されるように、上述の位置決め機構は更に係合機構を具え、該係合機構は上シールドケース４２に開設された複数の係合溝５１及び下シールドケース４４に該係合溝５１に対応するよう配置された係合片５３で組成されている。係合片５３が係合溝５１内に進入しそれと係合し組み合わされることで、更に上シールドケース４２、下シールドケース４４の確実な導通、係合が達成される。
【００２５】
更に図２に示されるように、本考案の電磁干渉を低減したコネクタ１００の上カバー２３は可動式に押圧部２７に接続され、内ケース２１の前端面両側より一対の固定柱２５が延伸され、各固定柱２５内にロック片２６が収容され、上カバー２３の押圧部２７が下向きにロック片２６に圧接されることで、ロック片２６と対応するコネクタ（図示せず）間のロックと分離が達成される。本考案の固定柱２５は内ケース２１に一体成形され、上シールドケース４２、下シールドケース４４による内ケース２１に対する被覆により、固定柱２５の強度が明らかに増加し、ゆえに対応するコネクタとの反復する抜き差し時にも強度不足による切断を防止できる。
【００２６】
上述の本考案の好ましい実施例中、位置決め機構にはその他の設計を採用可能であり、例えば、導通片５２が下シールドケース４４の側辺に設けられ、導通部５６が外向きに上シールドケース４２の側辺に圧接するか、或いは挟持片５４が上シールドケース４２の側辺に設けられ並びに外向きに折り曲げられ、下シールドケース４４の側辺が挟持片５４と上シールドケース４２側辺の間に進入し挟持され、導通片５２が上シールドケース４２の側辺に設けられ、導通部５６が外向きに下シールドケース４４の側辺に圧接するか、或いは挟持片５４が上シールドケース４２側辺に設けられ並びに外向きに折り曲げられ、下シールドケース４４の側辺が挟持片５４と上シールドケース４２側辺の間に進入し並びに挟持され、導通片５２が下シールドケース４４側辺に設けられ、導通部５６が内向きに上シールドケース４２側辺に当接するか、又は、導通片５２及び挟持片５４がいずれも下シールドケース４４に設けられ、及び又は係合溝５１が下シールドケース４４に開設され、係合片５３が上シールドケース４２に対応するよう配設される。このほか、上シールドケース４２、下シールドケース４４の接地状態を達成するため、上シールドケース４２と上述の接地機構は接触し、導通するものとされうる。
【００２７】
総合すると、本考案の電磁干渉を低減したコネクタは、上述の実施例及び関係する図面により具体的に説明された。しかし以上の説明は本考案の実施範囲を限定するものではなく、本考案に基づきなしうる細部の修飾或いは改変は、いずれも本考案の請求範囲に属するものとする。
【図面の簡単な説明】
【００２８】
【図１】本考案の電磁干渉を低減したコネクタの立体組合せ図である。
【図２】本考案の電磁干渉を低減したコネクタの立体分解図である。
【図３】本考案に応用される上シールドケースの立体図である。
【図４】本考案に応用される上、下シールドケースの立体組合せ図である。
【図５】本考案に応用される上、下シールドケースの立体組合せ断面図である。
【図６】本考案に応用される上、下シールドケースのまた一つの立体組合せ断面図である。
【符号の説明】
【００２９】
１００  電磁干渉を低減したコネクタ
２０  プラスチックケース            ２１  内ケース
２３  上カバー                      ２４  下カバー
２５  固定柱                        ２６  ロック片
２７  押圧部                        ３０  端子
４２  上シールドケース              ４４  下シールドケース
４４１  当接弾性片                  ５１  係合溝
５２  導通片                        ５３  係合片
５４  挟持片                        ５６  導通部
６０  基板
【図１】
0003108271.tif 000003
【図２】
0003108271.tif 000004
【図３】
0003108271.tif 000005
【図４】
0003108271.tif 000006
【図５】
0003108271.tif 000007
【図６】
0003108271.tif 000008